(57)【要約】【課題】ディスプレイ内の表示画像とその波形画像を表示態様を変更して表示することができ、さらにディスプレイの基準値の範囲に対する表示を可能とする。【解決手段】このディスプレイは、セレクタ２１，２２で選択された映像信号からその波形信号を生成するモジュール２４と、映像信号とモジュール２４により生成された波形信号のうちから、はめ込み画像に用いる信号を切り替えるセレクタ２５を有するＦＰＧＡ２０を備えている。さらに、ディスプレイは、セレクタ２５により切り替えられたはめ込み画像に用いる一方の映像信号に対して主画像表示用に変換処理を施す入力ポート３１、スケーラ３５と、他方の映像信号又は波形信号に対して副画像表示用に画像変換処理を施す入力ポート３２、スケーラ３６を有するデバイス３０を備えている。【選択図】図２
2008205719.tif 000002
【特許請求の範囲】
【請求項１】
入力される複数の映像信号のうちから選択した任意の映像信号を用いて任意のはめ込み画像を表示する表示手段と、
前記選択された任意の映像信号から該映像信号に対応する波形信号を生成する波形信号生成手段と、
前記選択された任意の映像信号と、前記波形信号生成手段により生成された波形信号のうちから、前記任意のはめ込み画像に用いる一方及び他方の信号を選択的に切り替える切替手段と、
前記切替手段により選択的に切り替えられた前記任意のはめ込み画像に用いる一方の信号を主画像表示用の画像に変換処理を施して前記表示手段に供給すると共に、前記任意のはめ込み画像に用いる他方の信号を副画像表示用に前記主画像表示用の画像変換処理に対応する画像変換処理を施した後に前記表示手段に供給する映像信号変換手段と、
を備えたことを特徴とする表示装置。
【請求項２】
請求項１に記載の表示装置において、
前記波形信号生成手段により生成された波形信号は、前記選択された任意の映像信号に関するレベル値を前記表示手段にグラフ表示するための信号であることを特徴とする表示装置。
【請求項３】
請求項２に記載の表示装置において、
前記表示手段は音声出力手段を内蔵しており、
前記グラフ表示は、前記映像信号の輝度レベルが前記表示手段の基準内であるか否かを示し、かつ前記映像信号に対応する音声信号の出力レベルが前記音声出力手段の基準内であるか否かを示すものであることを特徴とする表示装置。
【請求項４】
請求項２に記載の表示装置において、
前記波形信号生成手段は、前記映像信号からサンプリングした輝度レベル値を記憶するメモリと、前記メモリに記憶された輝度レベルを前記表示手段にグラフ表示するエリアにレイアウトするためのルックアップテーブルとを有することを特徴とする表示装置。
【請求項５】
請求項２に記載の表示装置において、
前記波形信号生成手段は、前記映像信号に対応する音声信号からサンプリングした出力レベル値のピーク値をホールドするピークホールド回路と、前記ピークホールド回路にホールドされたピーク値を前記表示手段にグラフ表示するエリアにレイアウトするためのルックアップテーブルとを有することを特徴とする表示装置。
【請求項６】
入力される複数の映像信号のうちから選択した任意の映像信号を用いて任意のはめ込み画像を表示する表示方法において、
前記選択された任意の映像信号から該映像信号に対応する波形信号を生成するステップと、
前記選択された任意の映像信号と、前記波形信号生成手段により生成された波形信号のうちから、前記任意のはめ込み画像に用いる一方及び他方の信号を選択的に切り替えるステップと、
前記選択的に切り替えられた前記任意のはめ込み画像に用いる一方の信号を主画像表示用の画像に変換処理を施して表示手段に供給すると共に、前記任意のはめ込み画像に用いる他方の信号を副画像表示用に前記主画像表示用の画像変換処理に対応する画像変換処理を施した後に前記表示手段に供給するステップと、
前記主画像表示用の画像変換処理を施した画像と、前記副画像表示用の画像変換処理を施した画像とを任意のはめ込み画像として前記表示手段で表示するステップと、
を含むことを特徴とする表示方法。
【発明の詳細な説明】
【技術分野】
【０００１】
本発明は、例えば、映像信号供給源から供給される映像信号に基づく画像を表示する表示装置及び表示方法に関する。
【背景技術】
【０００２】
従来、ディスプレイの外部に測定器を接続して、ディスプレイに入力される映像信号の信号レベルを監視することにより、入力される映像信号のチェックが行われていた。この入力映像信号の監視は、予めディスプレイに定められている基準値の範囲内に測定値がおさまっているか否かを判定するために行っていた。この測定器による測定値として、例えば、輝度レベルやホワイトレベルなどがあげられる。
【０００３】
このような測定器として、被測定対象の画像画面とその電気信号を同一の画面上に合成して表示するものがあった。この測定器では、まず、ビデオ入力信号の同期信号を水平同期信号と垂直同期信号に分離して水平同期信号に基づいてクロックを発生させている。
【０００４】
このクロックに基づいた垂直カウンタ及び水平カウンタのカウント値を読み出しアドレスとする測定データがフレームメモリに格納される。そして、ビデオ入力信号にクランプ回路から直流の基準値を与え、クランプ回路からのデータにフレームメモリからのデータを合成させている（特許文献１参照。）。
【０００５】
また、テレビジョン放送用やビデオテープレコーダ記録再生用の映像信号として、輝度信号（Ｙ）、色差信号（Ｒ−Ｙ）及び色差信号（Ｂ−Ｙ）からなるコンポーネント映像信号が用いられている。また、この他にも輝度信号（Ｙ）、色差信号、同期信号及びカラーバースト信号からなるコンポジット映像信号が用いられている。これら映像信号のディスプレイ上の画面表示の横縦比は通常テレビ放送（ＳＤ）では４対３（走査線数５２５本）に対して高品位テレビ放送（ＨＤ）では１６対９（走査線数１１２５本）である。
【０００６】
この他にコンピュータが出力するＲＧＢ信号の解像度には、ＶＧＡ（６４０×４８０），ＳＶＧＡ（８００×６００），ＸＧＡ（１２８０×７６８），ＳＸＧＡ（１２８０×１０２４），ＱＸＧＡ（２０４８×１５３６）といった種類が存在している。これらの各種解像度の映像信号を用いてディスプレイに複数の画面表示をすることも行われていた。
【特許文献１】特開平６−６２３１７号公報
【発明の開示】
【発明が解決しようとする課題】
【０００７】
上述した従来の測定器による入力映像信号の監視では、ディスプレイの外部にディスプレイ本体とは別の測定器を接続しなければならない。このため、測定器の接続や測定の操作を別に行う必要が生じる。
【０００８】
また、測定波形の表示サイズや表示レイアウトなどの表示態様が固定されている。このため、この表示態様をディスプレイの表示画像に対応して任意に変更することができなかった。すなわち、ディスプレイの表示画像に対応した入力映像信号の監視が行ない難いという不都合があった。
【０００９】
また、上述した特許文献１に記載の測定器では、ディスプレイの表示画像の各部の振動等の波形あるいは電圧値を同一画面に表示するものである。このため、波形変化をリアルタイムで表示することができる。しかし、入力映像信号がディスプレイの基準値の範囲に対してどの程度の値であるかを判別することができないという不都合があった。
【００１０】
そこで、本発明は、ディスプレイ内の表示画像と共に表示画像に対応する波形画像を表示することができると共に、波形画像の表示態様をディスプレイの表示画像に対応して任意に変更することができ、さらにディスプレイの基準値の範囲に対する表示を可能とする表示装置及び表示方法を提供することを目的とするものである。
【課題を解決するための手段】
【００１１】
上記課題を解決し、本発明の目的を達成するため、本発明の表示装置は、入力される複数の映像信号のうちから選択した任意の映像信号を用いて任意のはめ込み画像を表示する表示手段と、選択された任意の映像信号からその映像信号に対応する波形信号を生成する波形信号生成手段と、選択された任意の映像信号と、波形信号生成手段により生成された波形信号のうちから、任意のはめ込み画像に用いる一方及び他方の信号を選択的に切り替える切替手段と、切替手段により選択的に切り替えられた任意のはめ込み画像に用いる一方の信号を主画像表示用の画像に変換処理を施して表示手段に供給すると共に、任意のはめ込み画像に用いる他方の信号を副画像表示用に主画像表示用の画像変換処理に対応する画像変換処理を施した後に表示手段に供給する映像信号変換手段とを備えたものである。
【００１２】
これにより、波形信号生成手段は、選択された任意の映像信号からその映像信号に対応する波形信号を生成する。切替手段は、選択された任意の映像信号と、波形信号生成手段により生成された波形信号のうちから、任意のはめ込み画像に用いる一方及び他方の信号を選択的に切り替える。
【００１３】
そして、映像信号変換手段は、切替手段により選択的に切り替えられた任意のはめ込み画像に用いる一方の信号（例えば、映像信号）に対して主画像表示用に表示手段に対応する画像に変換処理を施す。これと共に、映像信号変換手段は、他方の信号（例えば、映像信号又は映像信号に基づく波形信号）に対して副画像表示用に主画像表示用の画像変換処理に対応する画像変換処理を施した後に表示手段に供給する。
【００１４】
従って、任意のはめ込み画像に用いる一方及び他方の映像信号が選択されると、一方の映像信号に対して主画像表示用に変換処理が施された主画像が表示手段に表示される。また、他方の映像信号に対して副画像表示用に変換処理が施された副画像が表示手段に表示される。
【００１５】
このとき、選択された一方の映像信号から映像信号に基づく波形信号が生成されている。そこで、任意のはめ込み画像に用いる一方の映像信号及び映像信号に基づく波形信号が選択されると、一方の映像信号に対して主画像表示用に変換処理が施された主画像が表示手段に表示される。また、映像信号に基づく波形信号に対して副画像表示用に変換処理が施された副画像が表示手段に表示される。
【００１６】
また、本発明の表示方法は、選択された任意の映像信号から、この映像信号に対応する波形信号を生成するステップと、選択された任意の映像信号と、波形信号生成手段により生成された波形信号のうちから、任意のはめ込み画像に用いる一方及び他方の信号を選択的に切り替えるステップと、選択的に切り替えられた任意のはめ込み画像に用いる一方の信号を主画像表示用の画像に変換処理を施して表示手段に供給すると共に、任意のはめ込み画像に用いる他方の信号を副画像表示用に主画像表示用の画像変換処理に対応する画像変換処理を施した後に表示手段に供給するステップと、主画像表示用の画像変換処理を施した画像と、副画像表示用の画像変換処理を施した信号による画像とを任意のはめ込み画像として表示手段で表示するステップとを含むものである。
【００１７】
これにより、まず、選択された任意の映像信号から映像信号に基づく波形信号を生成する。次に、選択された任意の映像信号と、波形信号生成手段により生成された波形信号のうちから、任意のはめ込み画像に用いる一方及び他方の信号を選択的に切り替える。
【００１８】
そして、選択的に切り替えられた任意のはめ込み画像に用いる一方に対して主画像表示用に表示手段に対応する画像に変換処理を施すと共に、他方に対して副画像表示用に主画像表示用の画像変換処理に対応する画像変換処理を施した後に表示手段に供給する。
【００１９】
従って、主画像表示用の画像変換処理を施した映像信号による画像と、副画像表示用の画像変換処理を施した映像信号による画像又は映像信号に基づく波形信号による画像とを任意のはめ込み画像として表示手段で表示する。
【発明の効果】
【００２０】
本発明によれば、ディスプレイ外部に測定器を接続する必要がなく、ディスプレイ内の表示画像と共に表示画像に対応する波形画像を表示することができるという効果が得られる。このため、測定器の接続や測定の操作を別に行う必要がなく、操作性が向上する。
【００２１】
また、表示画像に対応する波形画像の表示態様をディスプレイの表示画像に対応して任意に変更することができる。このため、表示サイズや表示レイアウト等の表示態様を任意に変更することにより、任意のはめ込み画像を生成することができる。
さらにディスプレイの基準値の範囲に対する表示を可能とすることができる。表示画像に対応する波形画像の表示範囲を基準値内とすれば、基準値に対する波形画像のレベルを一目で把握することができる。このため、基準値に対する波形画像の判定における視認性が向上する。
【発明を実施するための最良の形態】
【００２２】
以下、本発明の実施の形態の表示装置について、適宜、図面を参照しながら詳細に説明する。
まず、本発明の実施の形態の表示装置の機能構成を示すブロック図について説明する。
図１は、本実施の形態の表示装置の機能構成を示すブロック図である。
図１において、この表示装置は、入力される複数の映像信号のうちから任意の映像信号を選択する映像信号入力部１を備えている。すなわち、映像信号入力部１は、選択された任意の映像信号を用いて任意のはめ込み画像を後段のはめ込み画像表示部７で表示するために、映像信号の入力選択を行うものである。
【００２３】
また、この表示装置は、映像信号入力部１で選択された任意の映像信号から、この映像信号に対応する波形信号を生成する波形信号生成部３を備えている。すなわち、波形信号生成部３は、映像信号入力部１で選択された任意の映像信号に関するレベル値に対応する波形信号を生成する。この波形信号は、はめ込み画像表示部７の基準値の範囲でグラフ表示される。
【００２４】
また、この表示装置は、映像信号入力部１で選択された任意の映像信号と、波形信号生成部３により生成された波形信号のうちから、任意のはめ込み画像に用いる一方及び他方の信号を選択的に切り替える映像信号切替部２を備えている。
【００２５】
すなわち、映像信号切替部２は、はめ込み画像に用いる信号として、映像信号入力部１で選択された任意の一方の映像信号と、他方の映像信号を用いる場合を選択的に切り替える。また、映像信号切替部２は、はめ込み画像に用いる信号として、映像信号入力部１で選択された任意の一方の映像信号と、この一方の映像信号に基づいて波形信号生成部３により生成された波形信号を用いる場合を選択的に切り替える。
【００２６】
また、この表示装置は、映像信号切替部２により選択的に切り替えられた任意のはめ込み画像に用いる一方及び他方の信号のうちの一方の映像信号に対して主画像表示用にはめ込み画像表示部７に対応する画像に変換処理を施す映像信号・波形信号変換部４を備えている。
【００２７】
これと共に、映像信号・波形信号変換部４は、他方の映像信号による画像又は映像信号に基づく波形信号に対して副画像表示用に主画像表示用の画像変換処理に対応する画像変換処理を施す。また、映像信号・波形信号変換部４は、上記処理を施した後に処理後の主画像表示用及び副画像表示用信号を、はめ込み画像表示部７側に出力する。
【００２８】
すなわち、映像信号・波形信号変換部４は、主画像表示用の一方の映像信号に対して、はめ込み画像表示部７に主画像を表示するための画素や周波数の変換を行う。また、映像信号・波形信号変換部４は、副画像表示用の一方の映像信号に基づいて波形信号生成部３により生成された波形信号に対して、はめ込み画像表示部７に副画像を表示するための画素や周波数の変換を行う。
【００２９】
また、この表示装置は、映像信号・波形信号変換部４で変換処理を施した処理後の主画像表示用及び副画像表示用信号を用いて、はめ込み画像表示部７におけるはめ込み画像中の主画像表示タイミング及び副画像表示タイミング信号を生成するはめ込み画像生成部５を備えている。
【００３０】
すなわち、はめ込み画像生成部５は、はめ込み画像表示部７におけるはめ込み画像中で主画像表示領域及び副画像表示領域を特定するための主画像表示タイミング及び副画像表示タイミング信号を生成する。なお、ここでは映像信号・波形信号変換部４の後段にはめ込み画像生成部５を設けているが、これに限らず、はめ込み画像生成部５の後段に映像信号・波形信号変換部４を設けてもよい。
【００３１】
また、この表示装置は、はめ込み画像生成部５で生成された主画像表示タイミング及び副画像表示タイミング信号に基づいて、はめ込み画像表示部７におけるはめ込み画像を表示させるための水平及び垂直方向の駆動信号を生成するはめ込み画像出力部６を備えている。
また、この表示装置は、はめ込み画像出力部６から出力される水平及び垂直方向の駆動信号によりはめ込み画像を表示するはめ込み画像表示部７を備えている。
【００３２】
また、この表示装置は、映像信号入力部１における映像信号の入力選択、波形信号生成部３における波形信号のグラフ表示のための制御、映像信号切替部２におけるはめ込み画像に用いる信号の選択、映像信号・波形信号変換部４における変換処理の選択、はめ込み画像生成部５におけるタイミング選択、のうちのいずれかについてコントロール信号を供給する制御部８を備えている。
【００３３】
ここで、制御部８は、いずれかのコントロール信号については所定の状態をデフォルト設定として、変更要求時にのみコントロール信号を供給するようにしても良い。
また、この表示装置は、制御部８に対してコントロール信号の生成をさせるためにパネル表示されたキーを操作可能な操作パネル９を備えている。
【００３４】
以下、本発明の実施の形態をディスプレイに適用した例について、図面を用いて具体的に説明する。
図２は、本実施の形態を適用したマルチディスプレイを示すブロック構成図である。このマルチディスプレイは、映像信号のアナログ伝送の規格としてテレビジョン放送用やビデオテープレコーダ記録再生用の映像信号として、輝度信号（Ｙ）、色差信号（Ｒ−Ｙ）及び色差信号（Ｂ−Ｙ）からなるコンポーネント映像信号１１や、輝度信号（Ｙ）、色差信号、同期信号及びカラーバースト信号からなるコンポジット映像信号１２が入力映像信号１０として入力可能な入力ポート（入力１，２）を有している。
【００３５】
また、このマルチディスプレイは、映像信号のデジタル伝送の規格であるＤＶＩ（Digital Visual Interface）に対応した高品位（ＨＤ（high definition））デジタル映像信号１３が入力映像信号１０として入力可能な入力ポート（入力３）を有している。
さらに、このマルチディスプレイは、オプションとしてコンピュータが出力するＲＧＢ信号１４、１５が入力映像信号１０として入力可能な入力ポート（入力４，５）を有している。
【００３６】
このような入力可能な入力ポート（入力１，２，３，４，５）に入力された各種入力映像信号１０は、マルチディスプレイのＦＰＧＡ（field programmable gate ally）２０に入力される。ＦＰＧＡ２０は、入力映像信号１０のフィールド単位の任意の処理を論理ゲートを用いてプログラム可能なＩＣ（Integrated Circuit）である。
【００３７】
ＦＰＧＡ２０は、入力ポート（入力１，２，３，４，５）に入力された各種入力映像信号１０から任意の２つの映像信号を選択するセレクタ２１を備えている。ＦＰＧＡ２０は、セレクタ２１で選択された２つの映像信号をそれぞれポートＡ入力及びポートＢ入力として、ポートＡ入力又はポートＢ入力のいずれか１つの映像信号を後段のモジュール２４に供給するセレクタ２２を備えている。
【００３８】
セレクタ２２は、セレクタ２１で選択された２つの映像信号をそれぞれポートＡ入力及びポートＢ入力として、ポートＡ側又はポートＢ側の固定接点のいずれかを選択的に可動接点と切り替えて接続するスイッチ２３を設けている。
【００３９】
また、ＦＰＧＡ２０は、セレクタ２２のスイッチ２３で可動接点とポートＡ側又はポートＢ側の固定接点との選択的切り替えにより接続されたポートＡ側又はポートＢ側の映像信号の波形信号を生成するモジュール２４を備えている。
【００４０】
モジュール２４により生成された波形信号は、セレクタ２２のスイッチ２３で選択されたポートＡ側又はポートＢ側の任意の映像信号に関するレベル値を後段のディスプレイ３８にグラフ表示するものである。
【００４１】
モジュール２４により生成された波形信号のグラフ表示は、映像信号の輝度レベルがディスプレイ３８の基準内であるか否かを示すＷＦＭ（wave form generator）と、映像信号に対応する音声信号の出力レベルがディスプレイ３８に内蔵されるスピーカの基準内であるか否かを示すＡＬＭ（audio level monitor）とにより表示される。
【００４２】
また、ＦＰＧＡ２０は、セレクタ２２のポートＢ側の映像信号をポートＢ｀入力として、モジュール２４の波形信号をポートＣ入力として、ポートＢ｀入力又はポートＣ入力のいずれか１つの信号を選択するセレクタ２５を備えている。そして、このセレクタ２５は、ポートＢ｀側又はポートＣ側の固定接点のいずれかを選択的に可動接点と切り替えて接続するスイッチ２６を設けている。
【００４３】
セレクタ２１のポートＡ入力はそのままポートＡ出力として、セレクタ２５のスイッチ２６で可動接点と接続されたポートＢ｀側又はポートＣ側の固定接点の信号はポートＢ出力として、ＦＰＧＡ２０から出力される。
【００４４】
また、このマルチディスプレイは、ＦＰＧＡ２０から出力されたポートＡ出力とポートＢ出力が、それぞれポートＡ入力とポートＢ入力として入力されるデバイス３０を備えている。デバイス３０は、ポートＡ入力の映像信号による主画像とポートＢ入力のポートＢ｀側の映像信号又はポートＣ側の波形信号による副画像とを後段のディスプレイ３８に表示させるためのタイミングを生成して、主画像及び副画像の信号と共に出力する装置である。
【００４５】
すなわち、デバイス３０は、ポートＡ入力の映像信号による主画像の表示タイミング信号を生成する入力ポート３１と、ポートＢ入力のポートＢ｀側の映像信号又はポートＣ側の波形信号による副画像の表示タイミング信号を生成する入力ポート３２とを備えている。入力ポート３１は、後段のディスプレイ３８にポートＡ入力の映像信号による主画像をディスプレイ３８の表示領域に対応させて表示させるための主画像の表示タイミング信号を生成する。
【００４６】
入力ポート３２は、後段のディスプレイ３８にポートＢ入力のポートＢ｀側の映像信号又はポートＣ側の波形信号による副画像を表示させるための副画像の表示タイミング信号を生成する。この副画像の表示タイミングは、入力ポート３１の主画像の表示タイミング信号とは異なる表示タイミングになっている。ここで、主画像の表示タイミング信号とは異なる副画像の表示タイミング信号とは、一部重なるタイミングも含むが、完全に一致してはいないものであればよい。
【００４７】
また、デバイス３０は、入力ポート３１の主画像の表示タイミング信号でディスプレイ３８に主画像を表示させるためにポートＡ入力の映像信号に画素及び周波数の変換を行うスケーラ３５を備えている。また、入力ポート３２の副画像の表示タイミング信号でディスプレイ３８に副画像を表示させるためにポートＢ入力のポートＢ｀側の映像信号又はポートＣ側の波形信号に画素及び周波数の変換を行うスケーラ３６を備えている。
【００４８】
また、デバイス３０は、入力ポート３１及びスケーラ３５による主画像生成系の第１経路３３と、入力ポート３２及びスケーラ３６による副画像生成系の第２経路３４とを有している。そして、デバイス３０の出力段で第１経路３３と第２経路３４とが合成されて主画像と副画像とがそれぞれの表示タイミング信号で組み合わされて１つの出力映像信号となる。
【００４９】
また、このマルチディスプレイは、デバイス３０から出力される出力映像信号に基づいて、主画像と副画像とがそれぞれの表示タイミング信号で組み合わされてディスプレイ３８に表示させるための水平駆動信号及び垂直駆動信号を生成する表示ドライバ３７を備えている。
【００５０】
また、このマルチディスプレイは、表示ドライバ３７から出力される水平駆動信号及び垂直駆動信号により主画像と副画像とを１つの画面上で組み合わせて表示するディスプレイ３８を備えている。
【００５１】
さらに、このマルチディスプレイは、操作パネル４０の操作に基づいてＦＰＧＡ２０及びデバイス３０に対する制御を行うためのコントロール信号を供給するＣＰＵ３９を備えている。すなわち、ＣＰＵ３９は、コントロール信号に基づいて、ＦＰＧＡ２０のセレクタ２１の選択、セレクタ２２のスイッチ２３の切替選択、セレクタ２５のスイッチ２６の切替選択、モジュール２４の波形信号の生成の制御を行う。
【００５２】
また、ＣＰＵ３９は、コントロール信号に基づいて、デバイス３０の第１経路３３の入力ポート３１及びスケーラ３５による主画像生成系の制御と、第２経路３４の入力ポート３２及びスケーラ３６による副画像生成系の制御とを行う。
【００５３】
さらに、このマルチディスプレイは、操作に基づいてＣＰＵ３９にコントロール信号を生成させるための操作パネル４０を備えている。すなわち、操作パネル４０は、例えば、主画像と副画像となる映像信号又は波形信号の選択と、後述する図３に示す主画像と副画像との組み合わせ表示例の選択を行うキー又はタッチパネルが設けられている。
【００５４】
操作パネル４０は、デフォルト設定として、所定の主画像と副画像となる映像信号の選択と、主画像と副画像との組み合わせパターンの表示がされるように設定されていて、設定変更時に変更部分のみを操作可能とするようにしても良い。
【００５５】
図３は、はめ込み画像の例を示す図であり、図３Ａはピクチャインピクチャ（ＰＩＰ）、図３Ｂはピクチャバイピクチャ（ＰＢＰ）、図３Ｃはピクチャアウトピクチャ（ＰＯＰ（１６：９））、図３Ｄはピクチャアウトピクチャ（ＰＯＰ（４：３））である。図３は、図２のディスプレイ３８に表示される主画像と副画像との組み合わせパターンを示している。図３は、主画像と副画像とがいずれも入力映像信号に対応したものである例を示している。
【００５６】
図３Ａに示すピクチャインピクチャ（ＰＩＰ）の例は、ディスプレイ３８の表示領域の全体に主画像４１が表示されると共に、主画像４１の一部に副画像４２が表示される例を示している。
【００５７】
主画像４１は、図２のデバイス３０の第１経路３３の入力ポート３１及びスケーラ３５による主画像生成系により生成されたピクチャインピクチャ（ＰＩＰ）のポートＡ入力の映像信号に対応している。このとき、入力ポート３１及びスケーラ３５は、コントロール信号によりピクチャインピクチャ（ＰＩＰ）の主画像４１を生成するようにポートＡ入力の映像信号の表示タイミングを生成し、画素及び周波数を変換する。
【００５８】
副画像４２は、図２のデバイス３０の第２経路３４の入力ポート３２及びスケーラ３６による副画像生成系により生成されたピクチャインピクチャ（ＰＩＰ）のポートＢ入力のポートＢ｀側の映像信号に対応している。このとき、入力ポート３２及びスケーラ３６は、コントロール信号によりピクチャインピクチャ（ＰＩＰ）の副画像４２を生成するようにポートＢ入力のポートＢ｀側の映像信号の表示タイミングを生成し、画素及び周波数を変換する。
【００５９】
図３Ｂに示すピクチャバイピクチャ（ＰＢＰ）の例は、ディスプレイ３８の表示領域の左半分に主画像４３が表示されると共に、主画像４３と並んで右半分に副画像４４が表示される例を示している。
【００６０】
主画像４３は、図２のデバイス３０の第１経路３３の入力ポート３１及びスケーラ３５による主画像生成系により生成されたピクチャバイピクチャ（ＰＢＰ）のポートＡ入力の映像信号に対応している。このとき、入力ポート３１及びスケーラ３５は、コントロール信号によりピクチャバイピクチャ（ＰＢＰ）の主画像４３を生成するようにポートＡ入力の映像信号の表示タイミングを生成し、画素及び周波数を変換する。
【００６１】
副画像４４は、図２のデバイス３０の第２経路３４の入力ポート３２及びスケーラ３６による副画像生成系により生成されたピクチャバイピクチャ（ＰＢＰ）のポートＢ入力のポートＢ｀側の映像信号に対応している。このとき、入力ポート３２及びスケーラ３６は、コントロール信号によりピクチャバイピクチャ（ＰＢＰ）の副画像４４を生成するようにポートＢ入力の映像信号の表示タイミングを生成し、画素及び周波数を変換する。
【００６２】
図３Ｃに示すピクチャアウトピクチャ（ＰＯＰ（横縦比が１６：９））の例は、ディスプレイ３８の表示領域の上側の横方向全体に主画像４５（１６：９）が表示されると共に、主画像４５（１６：９）の領域外に副画像４６が表示される例を示している。
【００６３】
主画像４５（１６：９）は、図２のデバイス３０の第１経路３３の入力ポート３１及びスケーラ３５による主画像生成系により生成されたピクチャアウトピクチャ（ＰＯＰ）のポートＡ入力の映像信号に対応している。このとき、入力ポート３１及びスケーラ３５は、コントロール信号によりピクチャアウトピクチャ（ＰＯＰ）の主画像４５（１６：９）を生成するようにポートＡ入力の映像信号の表示タイミングを生成し、画素及び周波数を変換する。
【００６４】
副画像４６は、図２のデバイス３０の第２経路３４の入力ポート３２及びスケーラ３６による副画像生成系により生成されたピクチャアウトピクチャ（ＰＯＰ）のポートＢ入力のポートＢ｀側の映像信号に対応している。このとき、入力ポート３２及びスケーラ３６は、コントロール信号によりピクチャアウトピクチャ（ＰＯＰ）の副画像４６を生成するようにポートＢ入力のポートＢ｀側の映像信号の表示タイミングを生成し、画素及び周波数を変換する。
【００６５】
図３Ｄに示すピクチャアウトピクチャ（ＰＯＰ（横縦比が４：３））の例は、ディスプレイ３８の表示領域の右側の縦方向全体に主画像４７（４：３）が表示されると共に、主画像４７（４：３）の領域外に副画像４８が表示される例を示している。
【００６６】
主画像４７（４：３）は、図２のデバイス３０の第１経路３３の入力ポート３１及びスケーラ３５による主画像生成系により生成されたピクチャアウトピクチャ（ＰＯＰ）のポートＡ入力の映像信号に対応している。このとき、入力ポート３１及びスケーラ３５は、コントロール信号によりピクチャアウトピクチャ（ＰＯＰ）の主画像４７（４：３）を生成するようにポートＡ入力の映像信号の表示タイミングを生成し、画素及び周波数を変換する。
【００６７】
副画像４８は、図２のデバイス３０の第２経路３４の入力ポート３２及びスケーラ３６による副画像生成系により生成されたピクチャアウトピクチャ（ＰＯＰ）のポートＢ入力の映像信号に対応している。このとき、入力ポート３２及びスケーラ３６は、コントロール信号によりピクチャアウトピクチャ（ＰＯＰ）の副画像４８を生成するようにポートＢ入力のポートＢ｀側の映像信号の表示タイミングを生成し、画素及び周波数を変換する。
【００６８】
図４は、他のはめ込み画像の例を示す図であり、図４Ａはピクチャインピクチャ（ＰＩＰ）、図４Ｂはピクチャバイピクチャ（ＰＢＰ）、図４Ｃはピクチャアウトピクチャ（ＰＯＰ（１６：９））、図４Ｄはピクチャアウトピクチャ（ＰＯＰ（４：３））である。
【００６９】
図４は、図２のディスプレイ３８に表示される主画像と副画像との他の組み合わせパターンを示している。図４は、主画像のみが入力映像信号に対応した画像であり、副画像は入力映像信号に関係する波形信号のグラフ表示画像である例を示している。
【００７０】
図４Ａに示すピクチャインピクチャ（ＰＩＰ）の例は、ディスプレイ３８の表示領域の全体に主画像５１が表示されると共に、主画像５１の一部に副画像５２が表示される例を示している。
【００７１】
主画像５１は、図２のデバイス３０の第１経路３３の入力ポート３１及びスケーラ３５による主画像生成系により生成されたピクチャインピクチャ（ＰＩＰ）のポートＡ入力の映像信号に対応している。このとき、入力ポート３１及びスケーラ３５は、コントロール信号によりピクチャインピクチャ（ＰＩＰ）の主画像５１を生成するようにポートＡ入力の映像信号の表示タイミングを生成し、画素及び周波数を変換する。
【００７２】
副画像５２は、図２のデバイス３０の第２経路３４の入力ポート３２及びスケーラ３６による副画像生成系により生成されたピクチャインピクチャ（ＰＩＰ）のポートＢ入力のポートＣ側の波形信号に対応している。このとき、入力ポート３２及びスケーラ３６は、コントロール信号によりピクチャインピクチャ（ＰＩＰ）の副画像５２を生成するようにポートＢ入力のポートＣ側の波形信号の表示タイミングを生成し、画素及び周波数を変換する。
【００７３】
ポートＢ入力のポートＣ側の波形信号は、モジュール２４により生成されるポートＡ入力の映像信号の波形信号であり、グラフ表示されるものである。グラフ表示は、映像信号の輝度レベルを示すＷＦＭと、音声信号の出力レベルを示すＡＬＭとによりピクチャインピクチャ（ＰＩＰ）の副画像５２で表示される。
【００７４】
図４Ｂに示すピクチャバイピクチャ（ＰＢＰ）の例は、ディスプレイ３８の表示領域の左半分に主画像５３が表示されると共に、主画像５３と並んで右半分に副画像５４が表示される例を示している。
【００７５】
主画像５３は、図２のデバイス３０の第１経路３３の入力ポート３１及びスケーラ３５による主画像生成系により生成されたピクチャバイピクチャ（ＰＢＰ）のポートＡ入力の映像信号に対応している。このとき、入力ポート３１及びスケーラ３５は、コントロール信号によりピクチャバイピクチャ（ＰＢＰ）の主画像５３を生成するようにポートＡ入力の映像信号の表示タイミングを生成し、画素及び周波数を変換する。
【００７６】
副画像５４は、図２のデバイス３０の第２経路３４の入力ポート３２及びスケーラ３６による副画像生成系により生成されたピクチャバイピクチャ（ＰＢＰ）のポートＢ入力のポートＣ側の波形信号に対応している。このとき、入力ポート３２及びスケーラ３６は、コントロール信号によりピクチャバイピクチャ（ＰＢＰ）の副画像５４を生成するようにポートＢ入力のポートＣ側の波形信号の表示タイミングを生成し、画素及び周波数を変換する。
【００７７】
ポートＢ入力のポートＣ側の波形信号は、モジュール２４により生成されるポートＡ入力の映像信号の波形信号であり、グラフ表示されるものである。グラフ表示は、映像信号の輝度レベルを示すＷＦＭと、音声信号の出力レベルを示すＡＬＭとによりピクチャバイピクチャ（ＰＢＰ）の副画像５４で表示される。
【００７８】
図４Ｃに示すピクチャアウトピクチャ（ＰＯＰ（横縦比が１６：９））の例は、ディスプレイ３８の表示領域の上側の横方向全体に主画像５５（１６：９）が表示されると共に、主画像５５（１６：９）の領域外に副画像５６が表示される例を示している。
【００７９】
主画像５５（１６：９）は、図２のデバイス３０の第１経路３３の入力ポート３１及びスケーラ３５による主画像生成系により生成されたピクチャアウトピクチャ（ＰＯＰ）のポートＡ入力の映像信号に対応している。このとき、入力ポート３１及びスケーラ３５は、コントロール信号によりピクチャアウトピクチャ（ＰＯＰ）の主画像５５（１６：９）を生成するようにポートＡ入力の映像信号の表示タイミング、画素及び周波数を変換する。
【００８０】
副画像５６は、図２のデバイス３０の第２経路３４の入力ポート３２及びスケーラ３６による副画像生成系により生成されたピクチャアウトピクチャ（ＰＯＰ）のポートＢ入力のポートＣ側の波形信号に対応している。このとき、入力ポート３２及びスケーラ３６は、コントロール信号によりピクチャアウトピクチャ（ＰＯＰ）の副画像５６を生成するようにポートＢ入力のポートＣ側の波形信号の表示タイミングを生成し、画素及び周波数を変換する。
【００８１】
ポートＢ入力のポートＣ側の波形信号は、モジュール２４により生成されるポートＡ入力の映像信号の波形信号であり、グラフ表示されるものである。グラフ表示は、映像信号の輝度レベルを示すＷＦＭと、音声信号の出力レベルを示すＡＬＭとによりピクチャアウトピクチャ（ＰＯＰ）の副画像５６で表示される。
【００８２】
図４Ｄに示すピクチャアウトピクチャ（ＰＯＰ（横縦比が４：３））の例は、ディスプレイ３８の表示領域の右側の縦方向全体に主画像４７（４：３）が表示されると共に、主画像５７（４：３）の領域外に副画像５８が表示される例を示している。
【００８３】
主画像５７（４：３）は、図２のデバイス３０の第１経路３３の入力ポート３１及びスケーラ３５による主画像生成系により生成されたピクチャアウトピクチャ（ＰＯＰ）のポートＡ入力の映像信号に対応している。このとき、入力ポート３１及びスケーラ３５は、コントロール信号によりピクチャアウトピクチャ（ＰＯＰ）の主画像４７（４：３）を生成するようにポートＡ入力の映像信号の表示タイミングを生成し、画素及び周波数を変換する。
【００８４】
副画像５８は、図２のデバイス３０の第２経路３４の入力ポート３２及びスケーラ３６による副画像生成系により生成されたピクチャアウトピクチャ（ＰＯＰ）のポートＢ入力のポートＣ側の波形信号に対応している。このとき、入力ポート３２及びスケーラ３６は、コントロール信号によりピクチャアウトピクチャ（ＰＯＰ）の副画像５８を生成するようにポートＢ入力のポートＣ側の波形信号の表示タイミングを生成し、画素及び周波数を変換する。
【００８５】
ポートＢ入力のポートＣ側の波形信号は、モジュール２４により生成されるポートＡ入力の映像信号の波形信号であり、グラフ表示されるものである。グラフ表示は、映像信号の輝度レベルを示すＷＦＭと、音声信号の出力レベルを示すＡＬＭとによりピクチャアウトピクチャ（ＰＯＰ）の副画像５６で表示される。
【００８６】
次に、モジュール２４によるＷＦＭの波形生成の詳細及びＷＦＭの表示状態について説明する。
図５は、モジュールの波形生成（ＷＦＭ）を示す図であり、図５Ａは入力映像信号の例、図５Ｂは水平同期信号、図５Ｃは水平映像信号、図５Ｄは垂直同期信号、図５Ｅは垂直映像信号である。
【００８７】
図５Ａに示す入力映像信号６１が画像表示されるときには、有効な映像信号エリア６２の他に一定のブランキングエリア６３が必要となる。映像信号エリア６２は、例えば、横対縦の画素比率が１２８０×１０２４で表される。
【００８８】
このとき、図２のＦＰＧＡ２０のセレクタ２２のポートＡ入力の映像信号として図５Ａに示す入力映像信号６１が入力されると、スイッチ２３を介してモジュール２４に図５Ａに示す入力映像信号６１が供給される。ここで、モジュール２４により入力映像信号６１の映像信号エリア６２の上側のサンプリングエリア６４内の１ライン分がサンプリングされる。
【００８９】
すなわち、図５Ｂに示す水平同期信号の１ライン分にわたって、図５Ｃに示す水平映像信号に対してサンプリングが行われる。水平サンプリングは、一定のサンプリング間隔６６で、「０」〜「６３９」で示す「６４０」個の水平サンプリング数６５となるように実行される。
【００９０】
このように水平サンプリングされたサンプリングデータ７０は、水平用メモリ６９に格納される。水平用メモリ６９には、１０ビットのデータが「６４０」個のアドレスに格納される。１０ビットのデータは、アドレス＠１〜＠４に示す「１６」、「１０００」、「１０００」、「１０００」、「１０００」、「９００」などの輝度値を示すデータである。
【００９１】
また、図５Ｄに示す垂直同期信号のサンプリングエリア６４の垂直ライン数にわたって、図５Ｅに示す垂直映像信号に対してサンプリングが行われる。垂直サンプリングは、一定のサンプリング間隔６８で、「０」〜「６３９」で示す「６４０」個の垂直サンプリング数６７となるように実行される。
【００９２】
このように垂直サンプリングされたサンプリングデータ７１は、垂直用メモリ７３に格納される。垂直用メモリ７３には、１０ビットのデータが「６４０」個のアドレスに格納される。１０ビットのデータは、アドレス＠１〜＠３に示す「９００」、「８００」、「７００」、「７００」などの輝度値を示すデータである。
【００９３】
次に、モジュール２４により水平用メモリ６９に格納された水平サンプリングされたサンプリングデータ７０と、垂直用メモリ７３に格納された垂直サンプリングされたサンプリングデータ７１とがデコード７５されて、ルックアップテーブル７４が作成される。
【００９４】
ルックアップテーブル７４は、波形信号であるＷＦＭの表示エリアのアドレスに対応する波形信号であるＷＦＭの表示レベルを示すテーブル値が格納される。サンプリングデータ７０、７１は、絶対値で示された輝度値であるのに対して、波形信号であるＷＦＭの表示レベルを示すテーブル値は、ディスプレイ３８の規定値に対して規定範囲内となっているか否かを示す相対値である。
【００９５】
そして、モジュール２４によりルックアップテーブル７４のテーブル値が読み出されて、ディスプレイ３８の波形信号であるＷＦＭの表示エリアのアドレスに表示レイアウト７６される。
【００９６】
図６は、波形生成（ＷＦＭ）の表示状態を示す図であり、図６Ａは波形生成（ＷＦＭ）の表示レイアウトの例、図６Ｂは波形生成（ＷＦＭ）の表示例である。図６は、ディスプレイ３８の波形信号であるＷＦＭの表示エリアにＷＦＭが表示される状態を示している。
【００９７】
図６Ａに示す波形生成（ＷＦＭ）の表示レイアウト例では、ディスプレイ３８の波形信号であるＷＦＭの表示エリアに対して、水平同期信号７９及び垂直同期信号８０に基づいて水平画素対垂直画素比が８００×５００となる画像が表示される。この画像表示領域には有効な波形レイアウトエリア７７の他に一定のブランキングエリア７８が必要となる。
【００９８】
波形レイアウトエリア７７は、水平画素対垂直画素比が６４０×４８０である。波形レイアウトエリア７７の左上点（ｘ、ｙ）を原点（０，０）として、６４０×４８０の波形レイアウトエリア７７が割り当てられる。
【００９９】
すなわち、波形レイアウトエリア７７の水平方向に「＠０」〜「＠６３９」で示す「６４０」個の画素に対応するアドレスが割り当てられ、垂直方向に「Ｌ０」〜「Ｌ４７９」で示す「４８０」本の画素に対応する垂直ラインが割り当てられる。
【０１００】
また、波形レイアウトエリア７７において、水平方向の「＠０」〜「＠６３９」で示す「６４０」個の画素は、図５Ａに示した入力映像信号６１の映像信号エリア６２の水平方向の画素に対応している。また、垂直方向の「Ｌ０」〜「Ｌ４７９」で示す「４８０」本の垂直ラインの画素は、図５Ｂで示した水平サンプリングされたサンプリングデータ７０の絶対値で示された輝度値を垂直方向の相対値として対応させるものである。
【０１０１】
すなわち、ディスプレイ３８の規定値に対応する規定範囲内となるように、垂直方向の「Ｌ０」（最大値）〜「Ｌ４７９」（最小値）で示す「４８０」本の垂直ラインの画素を割り当てている。従って、波形信号であるＷＦＭの表示レベルを示す輝度値が、垂直方向の「Ｌ０」（最大値）〜「Ｌ４７９」（最小値）で示す「４８０」本の範囲内の相対値として割り当てられる。
【０１０２】
ここでは、水平方向の波形信号であるＷＦＭの表示レベルを示す輝度値の割り当てを示す。図５Ｂで示した水平用メモリ６９に格納された水平サンプリングされたサンプリングデータ７０のうちのアドレス「＠０」〜「＠６３９」は、図６Ａに示す波形レイアウトエリア７７の水平方向の「＠０」〜「＠６３９」で示す「６４０」個の画素に対応する。
【０１０３】
また、図５Ｂで示した水平用メモリ６９に格納された水平サンプリングされたサンプリングデータ７０のうちの「１０００」（最大値）〜「１６」（最小値）までの絶対値で示された輝度値を、図６Ａに示す波形レイアウトエリア７７の垂直方向の「Ｌ０」（最大値）〜「Ｌ４７９」（最小値）で示す相対値に対応させる。
【０１０４】
すなわち、図５Ｂで示した水平用メモリ６９に格納された水平サンプリングされたサンプリングデータ７０のうちのアドレス「＠０」の絶対値で示された輝度値「１６」（最小値）は、８１に示すように、図６Ａに示す波形レイアウトエリア７７の水平方向のアドレス「＠０」で垂直方向の垂直ライン「Ｌ４７０」で示す相対値に対応させて割り当てる。
【０１０５】
次に、図５Ｂで示した水平用メモリ６９に格納された水平サンプリングされたサンプリングデータ７０のうちのアドレス「＠１」の絶対値で示された輝度値「１０００」（最大値）  は、８２に示すように、図６Ａに示す波形レイアウトエリア７７の水平方向のアドレス「＠１」で垂直方向の垂直ライン「Ｌ１２」で示す相対値に対応させて割り当てる。
【０１０６】
同様に、図５Ｂで示した水平用メモリ６９に格納された水平サンプリングされたサンプリングデータ７０のうちのアドレス「＠２」の絶対値で示された輝度値「１０００」（最大値）  は、８３に示すように、図６Ａに示す波形レイアウトエリア７７の水平方向のアドレス「＠２」で垂直方向の垂直ライン「Ｌ１２」で示す相対値に対応させて割り当てる。
【０１０７】
同様に、図５Ｂで示した水平用メモリ６９に格納された水平サンプリングされたサンプリングデータ７０のうちのアドレス「＠３」の絶対値で示された輝度値「１０００」（最大値）  は、８４に示すように、図６Ａに示す波形レイアウトエリア７７の水平方向のアドレス「＠３」で垂直方向の垂直ライン「Ｌ１２」で示す相対値に対応させて割り当てる。
【０１０８】
さらに、図５Ｂで示した水平用メモリ６９に格納された水平サンプリングされたサンプリングデータ７０のうちのアドレス「＠４」の絶対値で示された輝度値「９００」  は、８５に示すように、図６Ａに示す波形レイアウトエリア７７の水平方向のアドレス「＠４」で垂直方向の垂直ライン「Ｌ６３」で示す相対値に対応させて割り当てる。
【０１０９】
以下、同様にして、図５Ｂで示した水平用メモリ６９に格納された水平サンプリングされたサンプリングデータ７０のうちのアドレス「＠５」〜「＠６３９」までの絶対値で示された輝度値を、図６Ａに示す波形レイアウトエリア７７の水平方向のアドレス「＠５」〜「＠６３９」まで垂直方向の垂直ライン「Ｌ４７０」〜「Ｌ１２」で示す相対値に対応させて割り当てる。
【０１１０】
上述したような割り当てができるように表示レイアウトがルックアップテーブル７４のテーブル値として記載されている。
なお、ここでは、水平方向の波形信号であるＷＦＭの表示レベルを示す輝度値の割り当てのみを示したが、垂直方向の波形信号であるＷＦＭの表示レベルを示す輝度値の割り当ても同様にして実行される。
【０１１１】
図６Ｂに示す波形生成（ＷＦＭ）の表示例では、図６Ａに示した波形レイアウトエリア７７に予めデフォルト設定された背景色８６及び縦横軸を示すグリッド８７、目盛を示すグリッド８８が表示される。
【０１１２】
なお、デフォルト設定値は、操作パネル４０の操作によるＣＰＵ４０からのモジュール２４へのコントロール信号により設定変更可能である。
そして、図６Ａに示すように波形生成された波形８９がＷＦＭとして相対値の範囲内で表示される。
【０１１３】
次に、モジュール２４によるＡＬＭの波形生成の詳細及びＡＬＭの表示状態について説明する。
図７は、モジュールの波形生成（ＡＬＭ）を示す図である。
図５Ａに示す入力映像信号６１に対応する入力Ｌ／Ｒチャンネル音声信号９１が、モジュール２４内のピークホールド回路９２に入力される。ピークホールド回路９２によりリアルタイムで入力される入力Ｌ／Ｒチャンネル音声信号９１の出力レベル値のピーク値が一時的にホールドされる。
【０１１４】
ピークホールド回路９２による入力Ｌ／Ｒチャンネル音声信号９１の出力レベル値のピーク値の一時的なホールドは、順次リフレッシュされるＡＬＭの波形表示タイミングに合わせて行われる。
【０１１５】
ピークホールド回路９２によりピーク値の一時的なホールドが行われた入力Ｌ／Ｒチャンネル音声信号９１の出力レベル値は、ＬチャンネルとＲチャンネルとがデコード９３されて、ルックアップテーブル９４が作成される。
【０１１６】
ルックアップテーブル９４は、波形信号であるＡＬＭの表示エリアのアドレスに対応する波形信号であるＡＬＭの表示レベルを示すテーブル値が格納される。一時的なホールドが行われたピーク値は、絶対値で示された出力レベル値であるのに対して、波形信号であるＡＬＭの表示レベルを示すテーブル値は、ディスプレイ３８に内蔵されるスピーカの規定値に対して規定範囲内となっているか否かを示す相対値である。
【０１１７】
そして、モジュール２４によりルックアップテーブル９４のテーブル値が読み出されて、ディスプレイ３８の波形信号であるＡＬＭの表示エリアのアドレスに表示レイアウト９５される。
【０１１８】
ピークホールド回路９２によりリアルタイムで入力される入力Ｌ／Ｒチャンネル音声信号９１の出力レベル値のピーク値が一時的にホールドされる。
絶対値で示されたＬチャンネルとＲチャンネルの出力レベル値は、表示レイアウト９５に示すように、波形信号であるＡＬＭの表示エリアに割り当てられる。
【０１１９】
すなわち、垂直方向の「４８０ライン」のうちの「０ライン」〜「２３４ライン」までをＬチャンネル、「２４５ライン」〜「４７９ライン」までをＲチャンネルに対応させて割り当てる。そして、絶対値で示されたＬチャンネルとＲチャンネルの出力レベル値を、水平方向の「６４０ドット」のうちの「３０ドット」〜「５８０ドット」で示す相対値に対応させて割り当てる。
【０１２０】
上述したような割り当てができるように表示レイアウトがルックアップテーブル９４のテーブル値として記載されている。
図７に示す波形生成（ＡＬＭ）の表示例では、波形信号であるＡＬＭの表示エリアに予めデフォルト設定された背景色９６及び横軸を示すグリッド９７、目盛を示すグリッド９８が表示される。
【０１２１】
なお、デフォルト設定値は、操作パネル４０の操作によるＣＰＵ４０からのモジュール２４へのコントロール信号により設定変更可能である。
そして、図７に示すように波形生成された波形９９がＡＬＭとして相対値の範囲内で表示される。
【０１２２】
図８は、入力映像信号のサンプリング状態を示す図である。図８は、図５に示したモジュール２４の波形生成（ＷＦＭ）のためのサンプリングの模様を示している。
入力映像信号１０１の周波数４８Ｈｚ、５０Ｈｚ、５６Ｈｚ、６０Ｈｚ、７２Ｈｚ、７５Ｈｚ、８５Ｈｚに対して、サンプリングタイミング１０２は、６０Ｈｚと同じ周期のＳＰ１、ＳＰ２、ＳＰ３、・・・、ＳＰＮ−１、ＳＰＮである。ここでは、周波数４８Ｈｚ、５０Ｈｚ、５６Ｈｚ、６０Ｈｚ、７２Ｈｚ、７５Ｈｚ、８５Ｈｚの各入力映像信号１０１をサンプリングするフレーム数をそれぞれ「１」〜「８５」までの数字で示している。
【０１２３】
図９は、セレクタ、ポート及びスケーラに対するコントロールを示す図である。
図９は、図２に示したＣＰＵ３９が、コントロール信号に基づいて、ＦＰＧＡ２０のセレクタ２１の選択、セレクタ２２のスイッチ２３の切替選択、セレクタ２５のスイッチ２６の切替選択、モジュール２４の波形信号の生成の制御を行ったときの対応する表示画像の例を示している。
【０１２４】
また、ＣＰＵ３９が、コントロール信号に基づいて、デバイス３０の第１経路３３の入力ポート３１及びスケーラ３５による主画像生成系の制御と、第２経路３４の入力ポート３２及びスケーラ３６による副画像生成系の制御とを行ったときの対応する表示画像の例を示している。
【０１２５】
図９において、まず、１１１で示す表示画像として図３Ａに示すピクチャインピクチャ（ＰＩＰ）の例について説明する。
この場合、ＦＰＧＡ２０のセレクタ２１でポートＡ入力とポートＢ入力用の入力映像信号が選択され、セレクタ２２のスイッチ２３はポートＡ入力とポートＢ入力のいずれも選択しないオープンが選択され、セレクタ２５のスイッチ２６はポートＢ｀が選択される。
【０１２６】
次に、デバイス３０の入力ポート３１でポートＡ入力の映像信号に対してピクチャインピクチャ（ＰＩＰ）の主画像用のタイミング信号を生成させ、入力ポート３２でポートＢ入力のポートＢ｀側の映像信号に対してピクチャインピクチャ（ＰＩＰ）の副画像用のタイミング信号を生成させる。
【０１２７】
そして、スケーラ３５でポートＡ入力の映像信号に対してピクチャインピクチャ（ＰＩＰ）の主画像用の画素及び周波数変換をさせ、スケーラ３６でポートＢ入力のポートＢ｀側の映像信号に対してピクチャインピクチャ（ＰＩＰ）の副画像用の画素及び周波数変換をさせる。
【０１２８】
次に、１１２で示す表示画像として図３Ｂに示すピクチャバイピクチャ（ＰＢＰ）の例について説明する。
この場合、ＦＰＧＡ２０のセレクタ２１でポートＡ入力とポートＢ入力用の入力映像信号が選択され、セレクタ２２のスイッチ２３はポートＡ入力とポートＢ入力のいずれも選択しないオープンが選択され、セレクタ２５のスイッチ２６はポートＢ｀が選択される。
【０１２９】
次に、デバイス３０の入力ポート３１でポートＡ入力の映像信号に対してピクチャバイピクチャ（ＰＢＰ）の主画像用のタイミング信号を生成させ、入力ポート３２でポートＢ入力のポートＢ｀側の映像信号に対してピクチャバイピクチャ（ＰＢＰ）の副画像用のタイミング信号を生成させる。
【０１３０】
そして、スケーラ３５でポートＡ入力の映像信号に対してピクチャバイピクチャ（ＰＢＰ）の主画像用の画素及び周波数変換をさせ、スケーラ３６でポートＢ入力のポートＢ｀側の映像信号に対してピクチャバイピクチャ（ＰＢＰ）の副画像用の画素及び周波数変換をさせる。
【０１３１】
次に、１１３で示す表示画像として図３Ｃに示すピクチャアウトピクチャ（ＰＯＰ（１６：９））の例について説明する。
この場合、ＦＰＧＡ２０のセレクタ２１でポートＡ入力とポートＢ入力用の入力映像信号が選択され、セレクタ２２のスイッチ２３ではポートＡ入力とポートＢ入力のいずれも選択しないオープンが選択され、セレクタ２５のスイッチ２６ではポートＢ｀が選択される。
【０１３２】
次に、デバイス３０の入力ポート３１でポートＡ入力の映像信号に対してピクチャアウトピクチャ（ＰＯＰ（１６：９））の主画像用のタイミング信号を生成させ、入力ポート３２でポートＢ入力のポートＢ｀側の映像信号に対してピクチャアウトピクチャ（ＰＯＰ）の副画像用のタイミング信号を生成させる。
【０１３３】
そして、スケーラ３５でポートＡ入力の映像信号に対してピクチャアウトピクチャ（ＰＯＰ（１６：９））の主画像用の画素及び周波数の変換を行い、スケーラ３６でポートＢ入力のポートＢ｀側の映像信号に対してピクチャアウトピクチャ（ＰＯＰ）の副画像用の画素及び周波数の変換を行う。
【０１３４】
次に、１１４で示す表示画像として図３Ｄに示すピクチャアウトピクチャ（ＰＯＰ（４：３））の例について説明する。
この場合、ＦＰＧＡ２０のセレクタ２１でポートＡ入力とポートＢ入力用の入力映像信号が選択され、セレクタ２２のスイッチ２３ではポートＡ入力とポートＢ入力のいずれも選択しないオープンが選択され、セレクタ２５のスイッチ２６ではポートＢ｀が選択される。
【０１３５】
次に、デバイス３０の入力ポート３１でポートＡ入力の映像信号に対してピクチャアウトピクチャ（ＰＯＰ（４：３））の主画像用のタイミング信号を生成させ、入力ポート３２でポートＢ入力のポートＢ｀側の映像信号に対してピクチャアウトピクチャ（ＰＯＰ）の副画像用のタイミング信号を生成させる。
【０１３６】
そして、スケーラ３５でポートＡ入力の映像信号に対してピクチャアウトピクチャ（ＰＯＰ（４：３））の主画像用の画素及び周波数変換をさせ、スケーラ３６でポートＢ入力のポートＢ｀側の映像信号に対してピクチャアウトピクチャ（ＰＯＰ）の副画像用の画素及び周波数変換をさせる。
【０１３７】
さらに、１１５で示す表示画像として図４Ａに示すピクチャインピクチャ（ＰＩＰ）の例について説明する。
この場合、ＦＰＧＡ２０のセレクタ２１でポートＡ入力とポートＢ入力用の入力映像信号が選択され、セレクタ２２のスイッチ２３はポートＡ入力が選択され、セレクタ２５のスイッチ２６はポートＣが選択される。
【０１３８】
次に、デバイス３０の入力ポート３１でポートＡ入力の映像信号に対してピクチャインピクチャ（ＰＩＰ）の主画像用のタイミング信号を生成させ、入力ポート３２でポートＢ入力のポートＣ側の波形信号に対してピクチャインピクチャ（ＰＩＰ）の副画像用のタイミング信号を生成させる。
【０１３９】
そして、スケーラ３５でポートＡ入力の映像信号に対してピクチャインピクチャ（ＰＩＰ）の主画像用の画素及び周波数の変換を行い、スケーラ３６でポートＢ入力のポートＣ側の波形信号に対してピクチャインピクチャ（ＰＩＰ）の副画像用の画素及び周波数の変換を行う。
【０１４０】
次に、１１６で示す表示画像として図４Ｂに示すピクチャバイピクチャ（ＰＢＰ）の例について説明する。
この場合、ＦＰＧＡ２０のセレクタ２１でポートＡ入力とポートＢ入力用の入力映像信号が選択され、セレクタ２２のスイッチ２３ではポートＡ入力が選択され、セレクタ２５のスイッチ２６ではポートＣが選択される。
【０１４１】
次に、デバイス３０の入力ポート３１でポートＡ入力の映像信号に対してピクチャバイピクチャ（ＰＢＰ）の主画像用のタイミング信号を生成させ、入力ポート３２でポートＢ入力のポートＣ側の波形信号に対してピクチャバイピクチャ（ＰＢＰ）の副画像用のタイミング信号を生成させる。
【０１４２】
そして、スケーラ３５でポートＡ入力の映像信号に対してピクチャバイピクチャ（ＰＢＰ）の主画像用の画素及び周波数の変換を行い、スケーラ３６でポートＢ入力のポートＣ側の波形信号に対してピクチャバイピクチャ（ＰＢＰ）の副画像用の画素及び周波数の変換を行う。
【０１４３】
次に、１１７で示す表示画像として図４Ｃに示すピクチャアウトピクチャ（ＰＯＰ（１６：９））の例について説明する。
この場合、ＦＰＧＡ２０のセレクタ２１でポートＡ入力とポートＢ入力用の入力映像信号が選択され、セレクタ２２のスイッチ２３ではポートＡが選択され、セレクタ２５のスイッチ２６ではポートＣが選択される。
【０１４４】
次に、デバイス３０の入力ポート３１でポートＡ入力の映像信号に対してピクチャアウトピクチャ（ＰＯＰ（１６：９））の主画像用のタイミング信号を生成させ、入力ポート３２でポートＢ入力のポートＣ側の波形信号に対してピクチャアウトピクチャ（ＰＯＰ）の副画像用のタイミング信号を生成させる。
【０１４５】
そして、スケーラ３５でポートＡ入力の映像信号に対してピクチャアウトピクチャ（ＰＯＰ（１６：９））の主画像用の画素及び周波数の変換を行い、スケーラ３６でポートＢ入力のポートＣ側の波形信号に対してピクチャアウトピクチャ（ＰＯＰ）の副画像用の画素及び周波数の変換を行う。
【０１４６】
次に、１１８で示す表示画像として図４Ｄに示すピクチャアウトピクチャ（ＰＯＰ（４：３））の例について説明する。
この場合、ＦＰＧＡ２０のセレクタ２１でポートＡ入力とポートＢ入力用の入力映像信号が選択され、セレクタ２２のスイッチ２３ではポートＡ入力が選択され、セレクタ２５のスイッチ２６ではポートＣが選択される。
【０１４７】
次に、デバイス３０の入力ポート３１でポートＡ入力の映像信号に対してピクチャアウトピクチャ（ＰＯＰ（４：３））の主画像用のタイミング信号を生成させ、入力ポート３２でポートＢ入力のポートＣ側の波形信号に対してピクチャアウトピクチャ（ＰＯＰ）の副画像用のタイミング信号を生成させる。
【０１４８】
そして、スケーラ３５でポートＡ入力の映像信号に対してピクチャアウトピクチャ（ＰＯＰ（４：３））の主画像用の画素及び周波数の変換を行い、スケーラ３６でポートＢ入力のポートＣ側の波形信号に対してピクチャアウトピクチャ（ＰＯＰ）の副画像用の画素及び周波数の変換を行う。
【０１４９】
上述した表示状態の切り替えについて、以下に具体的に説明する。
ここで、例えば、デフォルト設定又は以前の設定により、図３Ａに示すピクチャインピクチャ（ＰＩＰ）の映像信号による主画像及び他の映像信号による副画像の表示画像１１１がディスプレイ３８に表示されているとする。この図３Ａに示すピクチャインピクチャ（ＰＩＰ）の映像信号による主画像及び他の映像信号による副画像の表示画像１１１から、図３Ｂに示すピクチャバイピクチャ（ＰＢＰ）の映像信号による主画像及び他の映像信号による副画像の表示画像１１２に表示態様を切り替える場合には、図９に示したセレクタ、ポート及びスケーラに対するコントロールにより以下のような制御が行われる。
【０１５０】
すでに、ピクチャインピクチャ（ＰＩＰ）の映像信号による主画像及び他の映像信号による副画像の表示画像１１１の表示状態で、ＦＰＧＡ２０のセレクタ２１でポートＡ入力とポートＢ入力用の入力映像信号が選択されている。また、セレクタ２２のスイッチ２３はポートＡ入力とポートＢ入力のいずれも選択しないオープンが選択され、セレクタ２５のスイッチ２６ではポートＢ｀が選択されている。
【０１５１】
このため、ピクチャバイピクチャ（ＰＢＰ）の映像信号による主画像及び他の映像信号による副画像の表示画像１１２に表示態様を切り替える際に、ＦＰＧＡ２０のセレクタ２１、セレクタ２２、セレクタ２５のコントロールに変化はない。
【０１５２】
次に、ピクチャインピクチャ（ＰＩＰ）の映像信号による主画像及び他の映像信号による副画像の表示画像１１１の表示状態で、デバイス３０の入力ポート３１でピクチャインピクチャ（ＰＩＰ）の主画像用のタイミング信号を生成させている。また、入力ポート３２でピクチャインピクチャ（ＰＩＰ）の副画像用のタイミング信号を生成させている。
【０１５３】
このため、ピクチャバイピクチャ（ＰＢＰ）の映像信号による主画像及び他の映像信号による副画像の表示画像１１２に表示態様を切り替える際に、デバイス３０の入力ポート３１でピクチャバイピクチャ（ＰＢＰ）の主画像用のタイミング信号を生成させる。また、入力ポート３２でピクチャバイピクチャ（ＰＢＰ）の副画像用のタイミング信号を生成させる。
【０１５４】
そして、ピクチャインピクチャ（ＰＩＰ）の映像信号による主画像及び他の映像信号による副画像の表示画像１１１の表示状態で、スケーラ３５でピクチャインピクチャ（ＰＩＰ）の主画像用の画素及び周波数の変換を行う。また、スケーラ３６でピクチャインピクチャ（ＰＩＰ）の副画像用の画素及び周波数の変換を行っている。
【０１５５】
また、ピクチャバイピクチャ（ＰＢＰ）の映像信号による主画像及び他の映像信号による副画像の表示画像１１２に表示態様を切り替える際に、スケーラ３５でピクチャバイピクチャ（ＰＢＰ）の主画像用の画素及び周波数の変換を行う。また、スケーラ３６でピクチャバイピクチャ（ＰＢＰ）の副画像用の画素及び周波数変換をさせる。
【０１５６】
さらに、上述したコントロールによるピクチャバイピクチャ（ＰＢＰ）の映像信号による主画像及び他の映像信号による副画像の表示画像１１２に示す表示態様から、図４Ａに示すピクチャインピクチャ（ＰＩＰ）の映像信号による主画像及びその波形信号による副画像の表示画像１１５の表示態様を切り替える場合には、図９に示したセレクタ、ポート及びスケーラに対するコントロールにより以下のような制御が行われる。
【０１５７】
図３Ｂに示すピクチャバイピクチャ（ＰＢＰ）の表示画像１１２の表示状態で、ＦＰＧＡ２０のセレクタ２１でポートＡ入力とポートＢ入力用の入力映像信号が選択されている。また、セレクタ２２のスイッチ２３ではポートＡ入力とポートＢ入力のいずれも選択しないオープンが選択され、セレクタ２５のスイッチ２６ではポートＢ｀が選択されている。
【０１５８】
このため、図４Ａに示すピクチャインピクチャ（ＰＩＰ）の映像信号による主画像及びその波形信号による副画像の表示画像１１５に表示態様を切り替える際に、ＦＰＧＡ２０のセレクタ２１でポートＡ入力とポートＢ入力用の入力映像信号が選択される。また、セレクタ２２のスイッチ２３ではポートＡ入力が選択され、セレクタ２５のスイッチ２６ではポートＣが選択される。
【０１５９】
次に、図３Ｂに示すピクチャバイピクチャ（ＰＢＰ）の表示画像１１２の表示状態で、デバイス３０の入力ポート３１でピクチャバイピクチャ（ＰＢＰ）の主画像用のタイミング信号を生成させている。また、入力ポート３２でピクチャバイピクチャ（ＰＢＰ）の副画像用のタイミング信号を生成させている。
【０１６０】
このため、図４Ａに示すピクチャインピクチャ（ＰＩＰ）の映像信号による主画像及びその波形信号による副画像の表示画像１１５に表示態様を切り替える際に、デバイス３０の入力ポート３１でピクチャインピクチャ（ＰＩＰ）の主画像用のタイミング信号を生成させる。また、入力ポート３２でピクチャインピクチャ（ＰＩＰ）の副画像用のタイミング信号を生成させる。
【０１６１】
そして、図３Ｂに示すピクチャバイピクチャ（ＰＢＰ）の表示画像１１２の表示状態で、スケーラ３５でピクチャバイピクチャ（ＰＢＰ）の主画像用の画素及び周波数の変換を行っている。また、スケーラ３６でピクチャバイピクチャ（ＰＢＰ）の副画像用の画素及び周波数の変換を行っている。
【０１６２】
このため、図４Ａに示すピクチャインピクチャ（ＰＩＰ）の映像信号による主画像及びその波形信号による副画像の表示画像１１５に表示態様を切り替える際に、スケーラ３５でピクチャインピクチャ（ＰＩＰ）の主画像用の画素及び周波数の変換を行う。また、スケーラ３６でピクチャインピクチャ（ＰＩＰ）の副画像用の画素及び周波数の変換を行う。
【０１６３】
このようにして、デフォルト設定又は以前の設定により、図３Ａに示すピクチャインピクチャ（ＰＩＰ）の表示画像１１１がディスプレイ３８に表示されている状態から、図３Ｂに示すピクチャバイピクチャ（ＰＢＰ）の表示画像１１２の表示状態に切り替えることができる。さらに、図４Ａに示すピクチャインピクチャ（ＰＩＰ）の表示画像１１５に表示態様を切り替えることができる。
【０１６４】
上述した切り替えに限らず、他の状態間で任意に切り替えを行うことができる。表示態様の切り替えは、入力される映像信号のフォーマットや、ディスプレイ３８の表示サイズ等に応じて、任意に切り替えることができる。
【０１６５】
図１０は、はめ込み画像の表示サイズ例を示す図であり、図１０Ａはピクチャインピクチャ（ＰＩＰ）、図１０Ｂはピクチャバイピクチャ（ＰＢＰ）、図１０Ｃはピクチャアウトピクチャ（ＰＯＰ（１６：９））、図１０Ｄはピクチャアウトピクチャ（ＰＯＰ（４：３））である。
【０１６６】
図１０は、図３又は図４に示された表示画像のディスプレイ３８における表示サイズ例を示している。表示サイズの変換には、上述した図９に示したコントロールにより、デバイス３０の入力ポート３１の主画像用のタイミング信号生成、入力ポート３２の副画像用のタイミング信号生成、スケーラ３５の主画像用の画素及び周波数変換、スケーラ３６の副画像用の画素及び周波数の変換が必要である。
【０１６７】
図１０Ａに示すピクチャインピクチャ（ＰＩＰ）の例について説明する。
この例では、ディスプレイ３８に主画像１２１が１２８０×１０２４の横縦画素比率で表示され、主画像１２１の右上の一部に副画像１２２が６４０×４８０の横縦画素比率で表示される。
【０１６８】
このとき、上述したコントロールにより、以下のような制御が行われる。
まず、デバイス３０の入力ポート３１で、主画像１２１が１２８０×１０２４の横縦画素比率で表示されるように、ピクチャインピクチャ（ＰＩＰ）の主画像用のタイミング信号を生成させる。
【０１６９】
また、入力ポート３２で、主画像１２１の右上の一部に副画像１２２が６４０×４８０の横縦画素比率で表示されるように、ピクチャインピクチャ（ＰＩＰ）の副画像用のタイミング信号を生成させる。
【０１７０】
そして、スケーラ３５で、主画像１２１が１２８０×１０２４の横縦画素比率で表示されるように、ピクチャインピクチャ（ＰＩＰ）の主画像用の画素及び周波数の変換を行う。また、スケーラ３６で、主画像１２１の右上の一部に副画像１２２が６４０×４８０の横縦画素比率で表示されるように、ピクチャインピクチャ（ＰＩＰ）の副画像用の画素及び周波数の変換を行う。
【０１７１】
次に、図１０Ｂに示すピクチャバイピクチャ（ＰＢＰ）の例について説明する。
この例では、ディスプレイ３８の左側半分に主画像１２３が６４０×４８０の横縦画素比率で表示され、主画像１２３と並んで右側半分に副画像１２４が６４０×４８０の横縦画素比率で表示される。
【０１７２】
このとき、上述したコントロールにより、以下のような制御が行われる。
まず、デバイス３０の入力ポート３１で、ディスプレイ３８の左側半分に主画像１２３が６４０×４８０の横縦画素比率で表示されるように、ピクチャバイピクチャ（ＰＢＰ）の主画像用のタイミング信号を生成させる。
【０１７３】
また、入力ポート３２で、主画像１２３と並んで右側半分に副画像１２４が６４０×４８０の横縦画素比率で表示されるように、ピクチャバイピクチャ（ＰＢＰ）の副画像用のタイミング信号を生成させる。
【０１７４】
そして、スケーラ３５で、ディスプレイ３８の左側半分に主画像１２３が６４０×４８０の横縦画素比率で表示されるように、ピクチャバイピクチャ（ＰＢＰ）の主画像用の画素及び周波数の変換を行う。
【０１７５】
また、スケーラ３６で、主画像１２３と並んで右側半分に副画像１２４が６４０×４８０の横縦画素比率で表示されるように、ピクチャバイピクチャ（ＰＢＰ）の副画像用の画素及び周波数の変換を行う。
【０１７６】
次に、図１０Ｃに示すピクチャアウトピクチャ（ＰＯＰ（１６：９））の例について説明する。
この例では、ディスプレイ３８に主画像１２５が１２８０×７２０の横縦画素比率で表示され、主画像１２５の左下の外側に一部重なるように副画像１２６が６４０×４８０の横縦画素比率で表示される。
【０１７７】
このとき、上述したコントロールにより、以下のような制御が行われる。
まず、デバイス３０の入力ポート３１で、主画像１２５が１２８０×７２０の横縦画素比率で表示されるように、ピクチャアウトピクチャ（ＰＯＰ（１６：９））の主画像用のタイミング信号を生成させる。
【０１７８】
また、入力ポート３２で、主画像１２５の左下の外側に一部重なるように副画像１２６が６４０×４８０の横縦画素比率で表示されるように、ピクチャアウトピクチャ（ＰＯＰ）の副画像用のタイミング信号を生成させる。
【０１７９】
そして、スケーラ３５で、主画像１２５が１２８０×７２０の横縦画素比率で表示されるように、ピクチャアウトピクチャ（ＰＯＰ（１６：９））の主画像用の画素及び周波数の変換を行う。
【０１８０】
また、スケーラ３６で、主画像１２５の左下の外側に一部重なるように副画像１２６が６４０×４８０の横縦画素比率で表示されるように、ピクチャアウトピクチャ（ＰＯＰ）の副画像用の画素及び周波数の変換を行う。
【０１８１】
次に、図１０Ｄに示すピクチャアウトピクチャ（ＰＯＰ（４：３））の例について説明する。
この例では、ディスプレイ３８の右側に主画像１２７が１６００×１２００の横縦画素比率で表示され、主画像１２７の左下の外側に副画像１２８が３２０×２４０の横縦画素比率で表示される。
【０１８２】
このとき、上述したコントロールにより、以下のような制御が行われる。
まず、デバイス３０の入力ポート３１で、主画像１２７が１６００×１２００の横縦画素比率で表示されるように、ピクチャアウトピクチャ（ＰＯＰ（４：３））の主画像用のタイミング信号を生成させる。
【０１８３】
また、入力ポート３２で、主画像１２７の左下の外側に副画像１２８が３２０×２４０の横縦画素比率で表示されるように、ピクチャアウトピクチャ（ＰＯＰ）の副画像用のタイミング信号を生成させる。
【０１８４】
そして、スケーラ３５で、主画像１２７が１６００×１２００の横縦画素比率で表示されるように、ピクチャアウトピクチャ（ＰＯＰ（４：３））の主画像用の画素及び周波数の変換を行う。
【０１８５】
また、スケーラ３６で、主画像１２７の左下の外側に副画像１２８が３２０×２４０の横縦画素比率で表示されるように、ピクチャアウトピクチャ（ＰＯＰ）の副画像用の画素及び周波数の変換を行う。
【０１８６】
このとき、図１０Ａのピクチャインピクチャ（ＰＩＰ）の主画像１２１は入力映像信号による画像であり、副画像１２２は入力映像信号による画像又は入力映像信号のＷＦＭ及びＡＬＭである。
【０１８７】
図１０Ｂのピクチャバイピクチャ（ＰＢＰ）の主画像１２３は入力映像信号による画像であり、副画像１２４は入力映像信号による画像又は入力映像信号のＷＦＭ及びＡＬＭである。
【０１８８】
図１０Ｃのピクチャアウトピクチャ（ＰＯＰ（１６：９））の主画像１２５は入力映像信号による画像であり、副画像１２６は入力映像信号による画像又は入力映像信号のＷＦＭ及びＡＬＭである。
【０１８９】
図１０Ｄのピクチャアウトピクチャ（ＰＯＰ（４：３））の主画像１２７は入力映像信号による画像であり、副画像１２８は入力映像信号による画像又は入力映像信号のＷＦＭ及びＡＬＭである。
【０１９０】
また、本発明は、以上の例に限らず、特許請求の範囲に記載された本発明の要旨を逸脱しない限り、その他様々の構成をとりうることはもちろんである。
【図面の簡単な説明】
【０１９１】
【図１】本実施の形態の表示装置の機能構成を示すブロック図である。
【図２】本実施の形態を適用したマルチディスプレイを示すブロック構成図である。
【図３】はめ込み画像の例を示す図であり、図３Ａはピクチャインピクチャ（ＰＩＰ）、図３Ｂはピクチャバイピクチャ（ＰＢＰ）、図３Ｃはピクチャアウトピクチャ（ＰＯＰ（１６：９））、図３Ｄはピクチャアウトピクチャ（ＰＯＰ（４：３））である。
【図４】他のはめ込み画像の例を示す図であり、図４Ａはピクチャインピクチャ（ＰＩＰ）、図４Ｂはピクチャバイピクチャ（ＰＢＰ）、図４Ｃはピクチャアウトピクチャ（ＰＯＰ（１６：９））、図４Ｄはピクチャアウトピクチャ（ＰＯＰ（４：３））である。
【図５】モジュールの波形生成（ＷＦＭ）を示す図であり、図５Ａは入力映像信号の例、図５Ｂは水平同期信号、図５Ｃは水平映像信号、図５Ｄは垂直同期信号、図５Ｅは垂直映像信号である。
【図６】波形生成（ＷＦＭ）の表示状態を示す図であり、図６Ａは波形生成（ＷＦＭ）の表示レイアウトの例、図６Ｂは波形生成（ＷＦＭ）の表示例である。
【図７】モジュールの波形生成（ＡＬＭ）を示す図である。
【図８】入力映像信号のサンプリング状態を示す図である。
【図９】セレクタ、ポート及びスケーラに対するコントロールを示す図である。
【図１０】はめ込み画像の表示サイズ例を示す図であり、図１０Ａはピクチャインピクチャ（ＰＩＰ）、図１０Ｂはピクチャバイピクチャ（ＰＢＰ）、図１０Ｃはピクチャアウトピクチャ（ＰＯＰ（１６：９））、図１０Ｄはピクチャアウトピクチャ（ＰＯＰ（４：３））である。
【符号の説明】
【０１９２】
１…映像信号入力部、２…映像信号切替部、３…波形信号生成部、４…映像信号・波形信号変換部、５…はめ込み画像（映像・波形）生成部、６…はめ込み画像出力部、７…はめ込み画像表示部、８…制御部、９…操作パネル、１０…入力映像信号、１１…コンポーネント映像信号、１２…コンポジット映像信号、１３…デジタル高品位映像信号、１４，１５…オプション映像信号、２０…ＦＰＧＡ、２１…セレクタ、２３…スイッチ、２４…モジュール、２５…セレクタ、２６…スイッチ、３０…デバイス、３１…入力ポート、２２…入力ポート、３３…第１経路、３４…第２経路、３５…スケーラ、３６…スケーラ、３７…表示ドライバ、３８…ディスプレイ、３９…ＣＰＵ、４０…操作パネル、４１，４３，４５，４７…主画像、４２，４４，４６，４８…副画像、５１，５３，５５，５７…主画像、５２，５４，５６，５８…副画像、６１…入力映像信号、６２…映像信号エリア、６３…ブランキングエリア、６４…サンプリングエリア、６５，６７…サンプリング数、６６，６８…サンプリング間隔、６９…水平用メモリ、７０，７１…サンプリングデータ、７３…垂直用メモリ、７４…ルックアップテーブル、７５…デコード、７６…表示レイアウト、７７…波形レイアウトエリア、７８…ブランキングエリア、７９…水平同期信号、８０…垂直同期信号、８１〜８５…レイアウト画素、８６…背景色、８７，８８…グリッド、８９…波形、９１…入力Ｌ／Ｒチャンネル音声信号、９２…ピークホールド回路、９３…デコード、９４…ルックアップテーブル、９５…表示レイアウト、９６…背景色、９７，９８…グリッド、９９…波形、１０１…入力映像信号、１０２…サンプリングタイミング、１１１…図３Ａのピクチャインピクチャ（ＰＩＰ）のコントロール、１１２…図３Ｂのピクチャバイピクチャ（ＰＢＰ）のコントロール、１１３…図３Ｃのピクチャアウトピクチャ（ＰＯＰ（１６：９））のコントロール、１１４…図３Ｄのピクチャアウトピクチャ（ＰＯＰ（４：３））のコントロール、１２１，１２３，１２５，１２７…主画像、１２２，１２４，１２６，１２８…副画像
【図１】
2008205719.tif 000003
【図２】
2008205719.tif 000004
【図３】
2008205719.tif 000005
【図４】
2008205719.tif 000006
【図５】
2008205719.tif 000007
【図６】
2008205719.tif 000008
【図８】
2008205719.tif 000009
【図９】
2008205719.tif 000010
【図１０】
2008205719.tif 000011
【図７】
2008205719.tif 000012